(57)【特許請求の範囲】
【請求項１】
レバーハンドルを備えるドアを開いた状態に保持するストッパーであって、
前記レバーハンドルが当接する当接部を備え、当接後に前記レバーハンドルを押す力が増加するに連れて、前記レバーハンドルの回転軸を所定の方向に回転させるよう前記レバーハンドルを付勢する付勢部と、
前記付勢部に連続して設けられた段差を備え、前記段差を乗り越えた前記レバーハンドルを支持する支持部と、
を有することを特徴とするストッパー。
【請求項２】
取り付け時に前記当接部が前記レバーハンドルの移動面と同一平面内に配置される請求項１に記載のストッパー。
【請求項３】
前記付勢部は、前記レバーハンドルの回転軸を所定の方向に回転させるよう前記レバーハンドルを付勢する斜部を備える請求項１または２に記載のストッパー。
【請求項４】
蝶番を介して取り付け位置に取り付けられ、前記蝶番を開くことにより、取り付け位置に沿って配置される請求項１ないし３のいずれかに記載のストッパー。
【発明の詳細な説明】
【技術分野】
【０００１】
本発明はストッパーおよびストッパーシステムに関する。このストッパーには、例えばレバーハンドルを備える扉を開いた状態に保持するストッパーが含まれる。
【背景技術】
【０００２】
扉を所定の位置でロックすることを目的とする戸当たりが知られている。例えば、回動ドアーの遊端下部に取り付けられ且つ下面に磁石を備えた傾斜吸着面を有するボデイと、床面に取り付けられ且つ枢軸部を介して水平な倒伏姿勢から傾斜姿勢まで回動できるように保持された磁性材製の回動舌片を備えた基体とから成り、回動ドアーが所定の開き位置にきたときに回動舌片が磁石に吸引されて引き上げられて吸着面に吸着するようにした戸当たりであって、基体に係合杆が起伏自在に設けられ、ボデイに係合杆が着脱自在に係合するフックが設けられており、回動ドアーが所定の開き位置にあるときに係合杆をフックに係合することができるように形成されている構造のものが知られている。
【先行技術文献】
【特許文献】
【０００３】
【特許文献１】特開２００４−８４２０２号公報
【発明の概要】
【発明が解決しようとする課題】
【０００４】
例えば特許文献１に記載のように、ボデイと基体のそれぞれを取り付ける場合、取り付けに手間がかかるという問題がある。また、磁性を用いる場合は、扉を閉める際に磁力（引力）より大きな力が必要となる。
【０００５】
１つの側面では、本発明は、容易に扉を開いた状態に保持することを目的とする。また、他の側面では、本発明は、扉を開いた状態から容易に扉を閉めることを目的とする。
【課題を解決するための手段】
【０００６】
上記目的を達成するために、開示のストッパーが提供される。このストッパーは、レバーハンドルを備えるドアを開いた状態に保持するストッパーであって、レバーハンドルが当接する当接部を備え、当接後にレバーハンドルを押す力が増加するに連れて、レバーハンドルの回転軸を所定の方向に回転させるようレバーハンドルを付勢する付勢部と、付勢部に連続して設けられ、付勢部を通過したレバーハンドルが所定の方向とは逆方向に回転することにより、レバーハンドルを支持する段差部を備える支持部とを有する。
【発明の効果】
【０００７】
１態様では、容易に扉を開いた状態に保持することができる。また、他の態様では、扉を開いた状態から容易に扉を閉めることができる。
【図面の簡単な説明】
【０００８】
【図１】第１の実施の形態のストッパーを示す図である。
【図２】実施の形態のストッパーを説明する図である。
【図３】利用者がレバーハンドルを持ってドアを開いたときのストッパーの機能を説明する図である。
【図４】変形例のストッパーを説明する図である。
【図５】レバーハンドルとストッパーとの位置関係を説明する図である。
【図６】奥側レバーハンドルが初期位置のままドアを開いたときのストッパーの機能を説明する図である。
【図７】奥側レバーハンドルが初期位置のままドアを開いたときのストッパーの機能を説明する図である。
【図８】奥側レバーハンドルが初期位置のままドアを開いたときのストッパーの機能を説明する図である。
【図９】ストッパーの変形例を説明する図である。
【図１０】ストッパーの変形例を説明する図である。
【図１１】ストッパーの変形例を説明する図である。
【図１２】ストッパーの変形例を説明する図である。
【図１３】ストッパーの配置位置の変形例を説明する図である。
【図１４】ストッパーの変形例を説明する図である。
【図１５】第２の実施の形態のストッパーを説明する図である。
【図１６】第２の実施の形態のストッパーの構造を示す図である。
【図１７】第２の実施の形態のストッパーの調整方法を説明する図である。
【図１８】第３の実施の形態のストッパーを説明する図である。
【図１９】第３の実施の形態のストッパーの動作を説明する図である。
【発明を実施するための形態】
【０００９】
以下、実施の形態のストッパーおよびストッパーシステムを、図面を参照して詳細に説明する。
＜第１の実施の形態＞
【００１０】
図１は、第１の実施の形態のドア開閉システムを示す図である。
実施の形態のドア開閉システムは、ストッパー１とドア２とを有している。ストッパー１は、ドア２が備えるレバーハンドル３を支持することにより、ドア２を開いた状態に保持する。
【００１１】
このストッパー１は、例えばネジや釘等を用いて壁４に取り付けられている。なお、ストッパー１の取り付け場所は特に限定されず、屋内であってもよいし、屋外であってもよい。
また、ストッパー１の取り付け対象は、壁に限定されず、車体や躯体（構造物の骨組み）等であってもよい。
【００１２】
レバーハンドル３の構造は従来公知のもの（市販のもの）を用いることができる。本実施の形態のレバーハンドル３は、ハンドル部分を把持して正方向に力を加えると回動し、手を離すと逆方向に回転し、元の位置に戻るようになっている。ここで、正方向とは、ラッチボルト（後述）がドア２内に引き込まれる方向を言う。また、逆方向とは、復帰バネ等によりレバーハンドル３が戻る方向を言う。
【００１３】
図２は、実施の形態のストッパーを説明する図である。
図２（ａ）は、ストッパー１を正面から見た図であり、図２（ｂ）は、ストッパー１を側面から見た図であり、図２（ｃ）は、ストッパー１を下面から見た図である。
図２（ｂ）に示すように、ストッパー１は、基部１ａと支持部１ｂと端部１ｃとを有している。
【００１４】
基部１ａは、ネジ孔を備えており、前述したようにネジや釘等を用いて壁（図２には図示せず）に取り付けられる。なお、ネジ孔の位置や数は図示のものに限定されない。また、壁に取り付ける方法は接着や、溶接、かしめ等であってもよいし、磁力を用いても良い。また、壁に取り付ける以外にも、構造物からストッパー１の形状を削り出す方法を用いてもよい。
支持部１ｂは、下部１ｂ１に形成された凹部にレバーハンドル３のハンドル部分が配置されることで、レバーハンドル３を支持する。
【００１５】
具体的には、支持部１ｂと端部１ｃとの間には、段差を形成する側部１ｃ１が設けられている。基部１ａの側部１ａ１、下部１ｂ１および端部１ｃの側部１ｃ１により、レバーハンドル３のハンドル部分を支持する凹部が画成されている。なお、ここでいうハンドル部分の支持とは、ハンドル部分が凹部に固定されるところまでは必要なく、ハンドル部分が凹部から外れなければ良い。
【００１６】
支持部１ｂには、緩衝材が巻き付けられている。これにより、例えば下部１ｂ１との接触によりハンドル部分に傷がつくことを抑制でき、また、接触時の消音効果も得られる。
なお、図示していないが、下部１ｂ１にゴム等が取り付けられていてもよい。
端部１ｃは、ドア２やハンドル部分が当接する当接部１ｃ２を備えている。当接部１ｃ２は、側面視で右斜め下方向に傾斜している。
【００１７】
なお、端部１ｃの材質は、特に限定されないが、例えば、ゴムや、摩擦の少ない合成樹脂や、金属、セラミックス、ナノファイバー等が挙げられる。これにより、前述した効果と同様の効果が得られる。
【００１８】
また、端部１ｃは支持部１ｂに近づくにつれて幅ｗが大きくなっており、側面視で端部１ｃの面１ｃ３は右斜め下方向に傾斜している。なお、水平面ｈ１に対する面１ｃ３の角度θは、特に限定されないが、例えば１５°程度である。
次に、利用者がレバーハンドルを持ってドア２を開いたときのストッパー１の機能を説明する。
【００１９】
図３は、利用者がレバーハンドルを持ってドアを開いたときのストッパーの機能を説明する図である。なお、図３では説明を分かり易くするために壁４の表記を省略している。
【００２０】
以下の説明では、ドア２を介してストッパー１側（紙面手前側）のレバーハンドルをレバーハンドル３と表記し、ドア２を介して紙面奥側（図示せず）のレバーハンドルを「奥側レバーハンドル」と表記する。また、ドア２が閉まった状態の奥側レバーハンドルの位置を「初期位置」という。
【００２１】
図３（ａ）に示すように、利用者は初期位置の奥側レバーハンドルを把持して所定の方向（正方向）に回転させた状態でドア２を開けると、ラッチボルト５が受け座（図示せず）から外れ、ドア２がストッパー１に近づいていく。ドア２がストッパー１の当接部１ｃ２に接触した時点で利用者は図３（ｂ）に示すように奥側レバーハンドルを離すか、またはハンドル部分を把持したまま奥側レバーハンドルを初期位置に戻すことにより、レバーハンドル３が逆方向に回転し、レバーハンドル３のハンドル部分が凹部に係合（嵌合）する。これにより、ドア２が開いた状態のままストッパー１により支持される。なお、本実施の形態では、レバーハンドル３のハンドル部分が凹部に係合（嵌合）するようにした。しかし、これに限らず、ハンドル部分が凹部に接触していない状態で，凹部内に配置されるようになっていてもよい。
【００２２】
なお、凹部を形成する側部１ｃ１の高さ（凹部の側部の高さ）は、レバーハンドル３が凹部に収まった後にレバーハンドル３が多少の振動では凹部から外れない高さ、かつ、利用者が奥側レバーハンドルを把持し、レバーハンドル３を凹部に収める際に、邪魔にならない程度の高さに調整されているのが好ましい。
【００２３】
他方、利用者がドア２を閉める場合は、奥側レバーハンドルを把持して回転させる。これにより、レバーハンドル３のハンドル部分が凹部から外れる。その状態で奥側レバーハンドル３をドア２を閉める方向に移動させることにより、ドア２が戸当たり（図示せず）に接触し、ラッチボルト５が受け座に納まりドア２が固定される。
【００２４】
本実施の形態のドア開閉システムによれば、膝を曲げたり腰を折ったりせずに通常のドアの開け閉めによる一連の動作を行うことで、ドア２をストッパー１に支持させたり、ストッパー１からドア２を取り外したりすることができる。
【００２５】
＜変形例１＞
ところで、利用者がレバーハンドルを持ってドアを開くときは、側面視で端部１ｃの面１ｃ３は右斜め下方向に傾斜していなくてもよい。従って、以下に示す形状のストッパーも考えられる。
【００２６】
図４は、変形例のストッパーを説明する図である。
図４（ａ）に示すストッパー１０は、壁４に取り付けられる基部１１と、凹部１２と、当接部１３とを備えている。
ドア２がストッパー１０の当接部１３に接触した時点で利用者は奥側レバーハンドルを離すか、またはハンドル部分を把持したまま奥側レバーハンドルを初期位置に戻すことにより、レバーハンドル３のハンドル部分が凹部１２内に配置される。初期位置では、レバーハンドル３のハンドル部分は、凹部１２を超えてストッパー１から離間することはできないように、ストッパー１の位置が調整されている。これにより、ドア２が開いた状態のままレバーハンドル３がストッパー１０により支持される。
図４（ｂ）に示すストッパー２０は、壁４に取り付けられる基部２１と、段差部２２と、当接部２３とを備えている。
【００２７】
ドア２がストッパー２０の当接部２３に接触した時点で利用者は奥側レバーハンドルを離すか、またはハンドル部分を把持したまま奥側レバーハンドルを初期位置に戻すことにより、レバーハンドル３のハンドル部分が段差部２２より図４中右側に配置される。これにより、ドア２が開いた状態のままストッパー１０により支持される。以上で図４の説明を終了する。
【００２８】
ところで、利用者は奥側レバーハンドルを把持して回転させた状態でドア２を開け、ラッチボルト５を受け座（図示せず）から外した後に、奥側レバーハンドルを回転させる力を弱めると、奥側レバーハンドルは、初期位置に移動する。
【００２９】
奥側レバーハンドルが初期位置のまま、利用者がドア２をストッパー１に近づけた場合や、風等により無人の状態でドア２がストッパー１に近づいた場合でもドア２がストッパー１により支持されるようになっている。以下、当該機能を実現する仕組みについて説明する。
【００３０】
図５は、レバーハンドルとストッパーとの位置関係を説明する図である。
この機能を実現するため、本実施の形態ではストッパー１の端部１ｃ（好ましくは面１ｃ３）が、レバーハンドル３の初期位置の移動面ｈ２と同一平面内に配置されている。
【００３１】
言い換えれば、初期位置に保たれたレバーハンドル３がストッパー１に接近すると、レバーハンドル３が最初に面１ｃ３に接触するように配置されている。この位置関係の調整は、一般的にレバーハンドル３側を調整するのは困難であるため、ストッパー１の配置位置を調整する場合が多い。このとき、磁力を用いてストッパー１を壁４に取り付けている場合は、ストッパー１の取り付け位置の調整が容易となる。
図６、図７および図８は、奥側レバーハンドルが初期位置のままドアを開いたときのストッパーの機能を説明する図である。
【００３２】
図６に示すように、初期位置に保たれたレバーハンドル３がストッパー１に接近すると、レバーハンドル３は端部１ｃの下部１ｃ３に当接する。すなわち、ストッパー１は、初期位置のレバーハンドル３がストッパー１に接近すると、レバーハンドル３は下部１ｃ３に当接するように壁４に取り付けられている。
【００３３】
ここで、図２（ｂ）に示すように、端部１ｃの幅ｗは、支持部１ｂに近づくにつれて大きくなっている。このため、図７に示すように、利用者がドア２をストッパー１方向に押すことによりレバーハンドル３が下部１ｃ３に沿って支持部１ｂに近づくにつれて、レバーハンドル３が所定の方向に回転するように、レバーハンドル３が面１ｃ３により付勢される。このとき、側面視で端部１ｃの面１ｃ３は右斜め下方向に傾斜しているが、角度θが１５°程度であれば、さほど大きな力をかけずにドア２を押すことができる。
【００３４】
そして、利用者がストッパー１方向にドア２をさらに近づけると、図８に示すように、レバーハンドル３が面１ｃ３から外れ段差を乗り越える。段差を乗り越えたレバーハンドル３は、初期位置に戻ろうと逆方向に回動することによりハンドル部分が凹部に係合する。これにより、レバーハンドル３が支持部１ｂにより支持される。
【００３５】
このように、利用者は、ラッチボルト５を受け座（図示せず）から外した後は、奥側レバーハンドルを把持しなくてもドア２をストッパー１に支持させることができる。
また、ドア２を閉める際にも奥側レバーハンドルを把持して回動させるだけでレバーハンドル３がストッパー１から外れるので、取り外しも容易である。
【００３６】
なお、本実施の形態では、ストッパー１をドア２の開閉に用いた。しかし、ストッパーとレバーハンドルとを備え、前述した機能を実現可能なものであれば、ストッパーの適用箇所は特に限定されず、例えば、家具、車庫等の建物の内部や建物の周りで用いる物や、自動車（トラック、貨物車両、重機等を含む）、電車、船舶、航空機等の乗り物等にも適用することができる。
＜変形例２＞
ストッパー１は、右下方向に傾斜する面を備えた。しかし、これに限らず、レバーハンドルの形状に応じて、傾斜面の形状を変更することもできる。
図９は、ストッパーの変形例を説明する図である。
【００３７】
図９に示すストッパー３０は、面１ｃ３が、正面視で右斜め上方向に傾斜している。このように、レバーハンドルの形状に応じて面１ｃ３の傾斜面の傾斜角度を適宜変更することにより、ドア２をより小さな力でストッパー３０に支持させることができる。
＜変形例３＞
基部１ａ、支持部１ｂおよび端部１ｃの形状は、前述した機能を発揮できるものであれば、特に限定されない。
図１０は、ストッパーの変形例を説明する図である。
【００３８】
実施の形態では、面１ｃ３と側部１ｃ１が連続したものとして説明した。しかし、これに限らず、図１０（ａ）に示すストッパー４０および図１０（ｂ）に示すストッパー５０のように、面１ｃ３と側部１ｃ１との間に別個の平面１ｃ４が存在していても良い。また、図１０（ａ）および図１０（ｂ）に示すように、平面１ｃ４の長さも任意に決定することができる。
また、図１０（ｃ）に示すストッパー６０のように、面１ｃ３の形状は曲面であってもよい。
【００３９】
さらに、図１０（ｄ）に示すストッパー７０のように、面１ｃ３にローラー１ｃ５を配置し、レバーハンドル３のハンドル部分の移動を補助するようにしてもよい。
図１１、および図１２は、ストッパーの変形例を説明する図である。
図１１に示すように、板状の材料を折り曲げることにより、基部１ａ、支持部１ｂおよび端部１ｃと同等の機能を実現するストッパーを作成することもできる。
【００４０】
例えば、図１１に示すストッパー８０は、壁４に取り付けられる基部８１と、段差部８２と、端部８３とを備えている。図１１（ａ）は、ストッパー８０を側面から見た図であり、図１１（ｂ）は、ストッパー８０を斜めから見た図である。
【００４１】
利用者がストッパー８０方向にドア２を近づけると、レバーハンドル３が面８３ｃから外れ段差を乗り越える。段差を乗り越えたレバーハンドル３は、初期位置に戻る。初期位置では、レバーハンドル３のハンドル部分は、段差部８２を超えてストッパー１から離間することはできないようにストッパー１の位置が調整されている。これにより、ドア２が開いた状態のままレバーハンドル３がストッパー８０により支持される。
【００４２】
また、図１２に示すストッパー９０は、壁４に取り付けられる基部９１と、凹部９２と、端部９３とを備えている。図１２（ａ）は、ストッパー９０を側面から見た図であり、図１２（ｂ）は、ストッパー９０を斜めから見た図である。ストッパー９０の機能はストッパー１と同様であるため、詳しい説明を省略する。
＜変形例４＞
【００４３】
前述した各実施の形態では、壁４に取り付けられたストッパーが壁の外部に露出した状態である例を説明した。しかし、これに限らず、ストッパーが壁の内部に配置されていてもよい。
図１３は、ストッパーの配置位置の変形例を説明する図である。
【００４４】
図１３に示すストッパー１は、壁４ａに形成された矩形状の凹み４ｂの内部に配置されている。このような構造にすることにより、より壁に近い位置でドアを支持することができる。これにより、例えば船舶や車のドア、冷蔵庫等にも、本実施の形態の構造を適用することができる。
【００４５】
なお、図１３ではストッパー１の全てが凹部の内部に配置されている例を図示したが、これに限らず、ストッパー１の一部が凹部の内部に配置されるようにしてもよい。
＜変形例５＞
図１４は、ストッパーの変形例を説明する図である。
図１４に示すストッパー１は、蝶番６により壁４に取り付けられている。
図１４（ａ）に示すように、ストッパー１を使用するときには、蝶番６は閉じた状態である。
【００４６】
図１４（ｂ）に示すように、例えばストッパー１を使用しないとき（収納時）には、例えば蝶番６を９０°程度開くことにより、ストッパー１を、壁４に沿って配置させる。なお、ストッパー１を壁４に接触させてもよい。この状態にしておくことで、空間への出っ張りを減らし、ストッパー１に人や物が接触することを抑制することができる。
【００４７】
＜第２の実施の形態＞
次に、第２の実施の形態のストッパーについて説明する。
以下、第２の実施の形態のストッパーについて、前述した第１の実施の形態との相違点を中心に説明し、同様の事項については、その説明を省略する。
図１５は、第２の実施の形態のストッパーを説明する図である。なお、図１５では壁４の図示を省略している。
図１５に示すドア２ａには、握り玉のドアノブ７が取り付けられている。
図１５に示すストッパー１００は、握り玉のドアノブ７にも適用した例である。ドアノブ７には、レバーハンドルのレバーと同様の機能を持たせるための棒状体８が取り付けられている。棒状体８の取り付け方法は特に限定されないが、例えば、図１５（ｂ）に示すように、ドアノブ７に孔部７ａを形成し、その内部に例えば接着等により、棒状体８を挿入して固定する。また、他の方法では孔部７ａをネジ孔とし、棒状体８を螺合させることにより固定するようにしてもよい。
これにより、第１の実施の形態と同様に、ドア２ａが開いた状態のままストッパー１００により支持させることができる。
【００４８】
また、ドアノブの回転方向に応じて、ストッパー１００の取り付ける向きを調整することもできる。具体的には、利用者がドアを介してドアノブ７とは反対側のドアノブ（図示せず）を把持して時計回りに回転させることによりドア２を閉める場合は、図１５（ａ）に示す向きにストッパー１００を取り付ける。図１５（ａ）の矢印は、ドアノブ７が回転する向きを示している。
【００４９】
他方、利用者が、ドアを介してドアノブ７とは反対側のドアノブ（図示せず）を把持して反時計回りに回転させることによりドア２を閉める場合は、図１５（ｂ）に示す向き（段差部が上向きとなるよう）にストッパー１００を取り付ける。図１５（ｂ）の矢印は、ドアノブ７が回転する向きを示している。
【００５０】
ところで、握り玉のドアノブ７の形状は様々なものが存在する。このため、ストッパー１００は、支持部が、壁４に近接する方向または壁４から離間する方向に距離を調整することができるようになっている。
図１６は、第２の実施の形態のストッパーの構造を示す図である。
ストッパー１００の支持部１０２は筒状になっており、支持部１０２および端部１０３が、基部１０１に対し取り外し可能になっている。
【００５１】
基部１０１には、複数の孔部１０１ａ、１０１ｂ、１０１ｃ、ｌ０１ｄが設けられている。また、支持部１０２には、複数の穴部１０２ａ〜１０２ｈが形成されている。
【００５２】
図１７は、第２の実施の形態のストッパーの調整方法を説明する図である。
利用者は、ドアノブ７の形状に応じて支持部１０２の基部１０１への挿入する深さを調整する。そして、深さの調整が完了すると、ボルト１０４ａとナット１０４ｂを用いて、深さを固定する。
【００５３】
例えば、図１７（ａ）に示す例では、穴部１０２ｄ、孔部１０１ｄ、穴部１０２ｈがボルト１０４ａとナット１０４ｂにより固定されている。また、図１７（ｂ）に示すドアノブ７は、図１７中、横方向の長さが図１７（ａ）のドアノブ７に比べて長い。
【００５４】
このため、ストッパー１００の図１７中、横方向の長さを長くするため、穴部１０２ｄ、孔部１０１ｃ、穴部１０２ｈがボルト１０４ａとナット１０４ｂにより固定されている。
なお、支持部１０２の長さを多段階に調整する例を示したが、これに限らず、支持部１０２の長さをリニアに調整できるようにしてもよい。
【００５５】
＜第３の実施の形態＞
次に、第３の実施の形態のストッパーについて説明する。
以下、第３の実施の形態のストッパーについて、前述した第１の実施の形態との相違点を中心に説明し、同様の事項については、その説明を省略する。
図１８は、第３の実施の形態のストッパーを説明する図である。なお、図１８では壁４の図示を省略している。
図１８に示すドア２ｂには、把持部９ａを備える固定式の取っ手９が取り付けられている。
第３の実施の形態のストッパー１１０は、変形例５と同様に、蝶番６ａにより壁４に取り付けられている。この蝶番６ａは芯棒にバネ（図示せず）が入っており、蝶番６ａは、バネによる弾性により、蝶番６ａが閉じる方向に付勢されている。
【００５６】
図１９は、第３の実施の形態のストッパーの動作を説明する図である。
図１９（ａ）に示すように、把持部９ａが面１１１に当接し、面１１１を押圧する方向（図１９中、右方向）に力が加わると、把持部９ａが面１１１を摺動しながら右方向に移動する。このときストッパー１１０は、図１９（ｂ）に示すように、把持部９ａに押されることにより、バネの弾性力に逆らって蝶番６ａが開く方向に移動する。このような動作は、例えば面１１１の形状を工夫することにより実現することができる。
【００５７】
把持部９ａの表面が、頂部１１２を通り過ぎ、把持部９ａがさらに右方向に移動すると、バネの弾性力により、蝶番６ａが閉じる方向に回転し、把持部９ａがストッパー１１０の段差部１１３に係合（嵌合）する。これにより、ドア２ｂが開いた状態のままストッパー１１０により支持される。
この第３の実施の形態のストッパー１１０によれば、固定式の取っ手９を用いた場合でも第１の実施の形態と同様の効果が得られる。
【００５８】
以上、本発明のストッパーおよびストッパーシステムを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した実施の形態および変形例のうちの、任意の２以上の構成（特徴）を組み合わせたものであってもよい。
【符号の説明】
【００５９】
１  ストッパー
１ａ  基部
１ｂ  支持部
１ｃ  端部
２  ドア
３  レバーハンドル
４  壁
５  ラッチボルト
【要約】
【課題】容易に扉を開いた状態に保持すること、また、扉を開いた状態から容易に扉を閉めること。
【解決手段】レバーハンドル３を備えるドア２を開いた状態に保持するストッパー１であって、レバーハンドル３が当接する面１ｃ３を備え、当接後にレバーハンドル３を押す力が増加するに連れて、前記レバーハンドルの回転軸を所定の方向に回転させるよう前記レバーハンドルを付勢する端部１ｃと、端部１ｃに連続して設けられた段差を備え、端部１ｃを通過したレバーハンドルが段差を乗り越えることにより、レバーハンドルを支持する支持部１ｂを有する。
【選択図】図５【図１】
0005927709.tif 000002
【図２】
0005927709.tif 000003
【図３】
0005927709.tif 000004
【図４】
0005927709.tif 000005
【図５】
0005927709.tif 000006
【図６】
0005927709.tif 000007
【図７】
0005927709.tif 000008
【図８】
0005927709.tif 000009
【図９】
0005927709.tif 000010
【図１０】
0005927709.tif 000011
【図１１】
0005927709.tif 000012
【図１２】
0005927709.tif 000013
【図１３】
0005927709.tif 000014
【図１４】
0005927709.tif 000015
【図１５】
0005927709.tif 000016
【図１６】
0005927709.tif 000017
【図１７】
0005927709.tif 000018
【図１８】
0005927709.tif 000019
【図１９】
0005927709.tif 000020